(57)【特許請求の範囲】
【請求項１】
蓋板に差込片が連接した差込式の蓋を上面に有する包装箱であって、蓋を閉じた状態で差込片と重なる正面板の上端部に該上端部が切り込まれている指掛け穴を有し、正面板の左右縁辺のうち一方のみに該縁辺の上端から延びる易破断線を有し、正面板の他方の縁辺の上端と指掛け穴との距離に対し、易破断線の上端と指掛け穴との距離が短く、易切断線の上端と指掛け穴との距離が5〜25ｍｍであり、下面に差込式の蓋を有し、包装箱の上端部及び下端部において正面板と差込片が貼着していない包装箱。
【請求項２】
正面板と側面板とを繋ぐ糊しろが、易破断線に隣接する側面板に貼着されている請求項１記載の包装箱。
【請求項３】
易破断線が、正面板の下端部において、正面板の面内で湾曲して正面板の下縁まで延びている請求項１又は２記載の包装箱。
【請求項４】
易破断線がミシン目からなり、個々のミシン目の切断線が、包装箱の上部に対して下部で長い請求項１〜３のいずれかに記載の包装箱。
【請求項５】
箱を形成する面材の裏面に、該箱に収容する内容物の情報が記載されている請求項１〜４のいずれかに記載の包装箱。
【発明の詳細な説明】
【技術分野】
【０００１】
本発明は、容易に破断することができる包装箱であって、破断により平らに展開することのできる包装箱に関する。
【背景技術】
【０００２】
包装箱の開封を容易にするため、蓋板を開封するときのつまみが正面板に形成されるように、包装箱にミシン目を設けることが知られている（特許文献１、特許文献２）。
【０００３】
一方、包装箱の内容物の使用方法や能書き等に関して、表示すべき情報量が多く、包装箱の面材の表面だけでは表示しきらない場合に、包装箱の面材の裏面にも表示することが行われている。内容物に関する情報が包装箱の面材の裏面に表示される場合に、その裏面の情報を読み易くするためには、破断により包装箱を平らに展開し、包装箱の面材の裏面を見易くすることが望ましい。
【０００４】
しかしながら、開封を容易にするためにミシン目が設けられた従来の包装箱では、ミシン目により蓋板の開封は容易になるものの、包装箱の面材の裏面が見易いように破断することは容易でない。
【先行技術文献】
【特許文献】
【０００５】
【特許文献１】特開2003-11961号公報
【特許文献２】特開2005-280842号公報
【発明の概要】
【発明が解決しようとする課題】
【０００６】
上述の従来技術に対し、本発明は、容易に破断することができ、かつ、破断により包装箱の面材の裏面を見易くすることのできる包装箱の提供を目的とする。
【課題を解決するための手段】
【０００７】
本発明者は、上面に差込式の蓋を有する包装箱において、蓋の差込片と重なる正面板の上端部に指掛け穴を、正面板の左右縁辺の一方に偏らせて設け、その偏らせた方の縁辺にミシン目等の易破断線を設けると、指掛け穴と易破断線で挟まれる正面板の上端部領域が摘み易くなり、その上端部領域を摘み上げることにより、包装箱を上端から下端に至るまで容易に破断することができ、破断した包装箱の面材の裏面が見易くなることを見出した。
【０００８】
即ち、本発明は、蓋板に差込片が連接した差込式の蓋を上面に有する包装箱であって、蓋を閉じた状態で差込片と重なる正面板の上端部に指掛け穴を有し、正面板の左右縁辺の一方に該縁辺の上端から延びる易破断線を有し、正面板の他方の縁辺の上端と指掛け穴との距離に対し、易破断線の上端と指掛け穴との距離が短い包装箱を提供する。
【発明の効果】
【０００９】
本発明の包装箱によれば、指掛け穴と易破断線で挟まれる正面板の上端部領域を容易に摘むことができ、さらにその領域を摘み上げることにより、包装箱を上端から下端に至るまで容易に破断することができる。したがって、破断した包装箱は面材の裏面が見易くなり、裏面に内容物等に関する表示がされている場合には、その表示が容易に読み取れるようになる。
【図面の簡単な説明】
【００１０】
【図１】図１は、実施例の包装箱の展開図である。
【図２Ａ】図２Ａは、実施例の包装箱１Ａの蓋を閉じた状態の斜視図である。
【図２Ｂ】図２Ｂは、実施例の包装箱１Ａの蓋を開けた状態の斜視図である。
【図２Ｃ】図２Ｃは、実施例の包装箱１Ａの破断途中の斜視図である。
【図２Ｄ】図２Ｄは、実施例の包装箱１Ａの破断後の平面図である。
【図３Ａ】図３Ａは、実施例の包装箱１Ｂの蓋を閉じた状態の斜視図である。
【図３Ｂ】図３Ｂは、実施例の包装箱１Ｂの破断後の平面図である。
【図４Ａ】図４Ａは、実施例の包装箱１Ｃの蓋を開けた状態の斜視図である。
【図４Ｂ】図４Ｂは、実施例の包装箱１Ｃの破断後の平面図である。
【発明を実施するための形態】
【００１１】
以下、図面を参照しつつ本発明を具体的に説明する。なお、各図中、同一符号は同一又は同等の構成要素を表している。
【００１２】
図２Ａは、本発明の一実施例の包装箱１Ａの蓋を閉じた状態の斜視図であり、図１は、その展開図である。
【００１３】
この包装箱１Ａは、概略、キャラメル箱型の紙箱であって、蓋板２に差込片３が連接した差込式の蓋４を上面に有し、下面にも蓋板５に差込片６が連接した差込式の蓋７を有する。なお、本発明において、包装箱の面材は、板紙の他、ポリプロピレン、ＰＥＴ等の合成樹脂シートを使用することができる。板紙の場合、坪量は200〜350ｇ/ｍ2が好ましく、合成樹脂シートの場合、シート厚は0.2〜0.5ｍｍが好ましい。
【００１４】
包装箱１Ａは、蓋４が閉じた状態で上面の差込片３と重なる正面板８の上端部にＵ字型に切り込まれた指掛け穴９を有する。このように指掛け穴９を設けると、閉じている蓋４に対し、指掛け穴９を通して指で差込片３を押し上げることで蓋４を開けることが容易となる。また、図２Ｂに示すように、包装箱１Ａにトレー状あるいは引き出し状の内容物Ａが収容されている場合に、蓋４を開けた後に指掛け穴９から内容物Ａに指を当て、矢印のように内容物Ａを押し出すことで、容易に内容物Ａを取り出すことができる。
【００１５】
指掛け穴９の大きさとしては、大きすぎると内容物Ａの保護が不十分となり、小さすぎると指が入らなくなるため、正面板８の上縁における穴幅Ｌ１を10〜25ｍｍとすることが好ましい。
【００１６】
また、この包装箱１Ａでは、正面板８の左右の縁辺１０、１１のうち一方の縁辺１０の上端から易破断線１２が下方に延びている。ここで、易破断線１２としては、ミシン目、ハーフカット等の破断を容易にする加工線が設けられる。また、正面板８の他方の縁辺１１は通常の罫線（折線）となっている。このように、正面板８の左右の縁辺１０、１１のうち一方の縁辺１０のみに易破断線１２を設けること、さらには、包装箱１Ａの周面の上下方向の縁辺のうち、上述の一方の縁辺１０のみに易破断線１２を設けることが好ましい。これにより、確実にその一方の縁辺１０のみを破断し、破断後の包装箱１Ａに、破断前の周面が一続きになった広い情報表示域を確保することができる。
【００１７】
易破断線１２の上端と指掛け穴９との距離Ｌ２は、通常の罫線となっている他方の縁辺１１の上端と指掛け穴９との距離Ｌ３に対して短い。このように、指掛け穴９を易破断線１２側に偏らせることにより、指掛け穴９と易破断線１２で挟まれる正面板８の上端部領域１３を摘みやすい幅に形成することができる。上端部領域１３の幅、即ち、易切断線１２の上端と指掛け穴９との距離Ｌ２は、摘み易さの点から5〜25ｍｍとすることが好ましい。
【００１８】
このようにこの包装箱１Ａによれば、正面板８の一方の縁辺１０に易破断線１２が形成され、指掛け穴９が易破断線１２側に偏っていることにより、正面板８の易破断線１２側の上端部領域１３が摘みやすくなっているので、図２Ｂのように蓋４を開けた後、図２Ｃに示すように上端部領域１３を摘み、それを引き上げることにより、容易に易破断線１２を上端から下端にいたるまで破断させることができる。そして、この破断により、包装箱１Ａは、図２Ｄに示すように平らな展開状態になる。したがって、包装箱の面材の裏面が見易くなり、そこに印刷されている内容物の使用方法、能書きなどの情報Ｂが読みやすくなる。
【００１９】
なお、この包装箱１Ａでは、正面板８と側面板１４とを繋ぐ糊しろ１５が、易破断線１２に隣接する側面板１４に貼着されている。このように糊しろ１５を易破断線１２に隣接する側面板１４に貼着することにより、易破断線１２は一層破断が容易となるので好ましい。
【００２０】
また、易破断線１２としてミシン目を形成する場合に、個々のミシン目の切断線を、包装箱の上部に比して下部で長くすることにより、実際の破断線が易破断線１２からずれにくくなるので好ましい。
【００２１】
本発明は種々の態様をとることができる。例えば、図３Ａに示す包装箱１Ｂのように、正面板８の縁辺１０の上端から延びる易破断線１２を、正面板８の下端部にてその角部を丸めるように湾曲させ、正面板８の下縁まで延ばしても良い。このように易破断線１２を湾曲させると、正面板８の易破断線１２側の上端部領域１３を摘み上げて引っ張ることにより、一気に易破断線１２を破断させることが容易となる。こうして、破断させた包装箱１Ｂも、図３Ｂに示すように、平らな展開状態となるので、その面材の裏面が見易く、そこに印刷されている内容物の使用方法、能書きなどの情報Ｂが読みやすくなる。
【００２２】
図４Ａに包装箱１Ｃは、図２Ａに示した包装箱１Ａの下面の差込式の蓋７を、底ロック式の蓋１６に代えたものである。図４Ｂに示すように、この包装箱１Ｃも易破断線１２で破断した後には、平らな展開状態となる。したがって、面材の裏面の情報Ｂが読みやすくなる。
【００２３】
このように本発明においては、破断後の包装箱を平らの展開状態にする点から、包装箱の下面の蓋を、差込式、底ロック式などの組込式にすることが好ましい。
【符号の説明】
【００２４】
１Ａ、１Ｂ、１Ｃ    包装箱
２    蓋板
３    差込片
４    蓋
５    蓋板
６    差込片
７    蓋
８    正面板
９    指掛け穴
１０    縁辺
１１    縁辺
１２    易破断線
１３    指掛け穴と易破断線で挟まれる正面板の上端部領域
１４    側面板
１５    糊しろ
１６    ロック式の蓋
Ａ    内容物
Ｂ    情報
Ｌ１  穴幅
Ｌ２  易破断線と指掛け穴との距離
Ｌ３  罫線と指掛け穴との距離
【図１】
0005938862.tif 000002
【図２Ａ】
0005938862.tif 000003
【図２Ｂ】
0005938862.tif 000004
【図２Ｃ】
0005938862.tif 000005
【図２Ｄ】
0005938862.tif 000006
【図３Ａ】
0005938862.tif 000007
【図３Ｂ】
0005938862.tif 000008
【図４Ａ】
0005938862.tif 000009
【図４Ｂ】
0005938862.tif 000010